(57)【要約】【課題】製造コストの高騰を惹起することなく、部材同士の干渉を好適に回避しながら椅子の操作機構の設計の自由度をより向上させる。【解決手段】椅子の諸機能を具現する機能手段を操作するためのレバーを椅子に取り付ける構造を、回動の中心軸となる回動軸部８１と、前記回動軸部と非平行な方向に延伸し外力を受ける受力部８２と、前記回動軸部と非平行な方向に延伸し椅子の機能手段Ｍ１と係わり合う作用部８３を具備して一体をなすレバー体８を、その回動軸部８１を回動可能に支持させて椅子本体１に取り付けて構成した。【選択図】図４
2004033449.tif 000002
【特許請求の範囲】
【請求項１】
椅子の諸機能を具現する機能手段を操作するためのレバーを椅子に取り付ける構造であって、
回動の中心軸となる回動軸部と、前記回動軸部と非平行な方向に延伸し外力を受ける受力部と、前記回動軸部と非平行な方向に延伸し椅子の機能手段と係わり合う作用部とを具備して一体をなすレバー体を、その回動軸部を回動可能に支持させて椅子本体に取り付けた椅子のレバー取付構造。
【請求項２】
前記受力部、前記回動軸部並びに前記作用部により略クランク状のレバー体を形成している請求項１記載の椅子のレバー取付構造。
【請求項３】
パドルを突設した操作軸を前記回動軸部と略平行となるように椅子本体に回動可能に支持させてなり、
該操作軸を回転操作することで前記パドルが前記受力部に当接してレバー体を回動させ得るようにした請求項１又は２記載の椅子のレバー取付構造。
【請求項４】
椅子本体を構成する要素である所定の部材上にレバー体の回転軸部を載置し、その上から下方に開口する凹部を形成した軸受部材を重ねてこれを前記所定の部材に固定してなる請求項１、２又は３記載の椅子のレバー取付構造。
【請求項５】
前記受力部を前後方向に延伸させながらレバー体を椅子の座の下方に配置した請求項１、２、３又は４記載の椅子のレバー取付構造。
【請求項６】
直立壁を具備するカバー部材によりレバー体を側方より遮蔽している請求項１、２、３、４又は５記載の椅子のレバー取付構造。
【請求項７】
椅子の機能手段が、ガススプリングを用いたガススプリング機構を内包するものであり、
レバー体の回動に伴いその作用部がガススプリングのボタンに作用してガススプリングのピストンのスライド移動を解禁するように構成した請求項１、２、３、４、５又は６記載の椅子のレバー取付構造。
【請求項８】
前記機能手段が、椅子の背座の高さを調整するためのものである請求項７記載の椅子のレバー取付構造。
【発明の詳細な説明】
【０００１】
【発明の属する技術分野】
本発明は、椅子の諸機能を操作するためのレバーの取付構造に関する。
【０００２】
【従来の技術】
近年、座り心地や使い勝手を向上させる目的で、椅子の高機能化が進んでいる。その代表的なものとして、背座の高さ調節機能やロッキング機能、座の前後スライド機能等を挙げることができる。これらの如き諸々の機能を操作するために椅子に設けられる操作機構としては、様々なものが存在する。例えば、椅子の諸機能を具現する機能手段と着座者の手指により操作される操作部とをリンクワイヤで連係させたもの、機能手段と操作部との間に多数の部材を組み合わせてなるリンク機構を介在させたもの、等である。
【０００３】
【発明が解決しようとする課題】
ところが、リンクワイヤ、あるいは複雑なリンク機構を操作機構に採用し、これを椅子に組み込もうとすると、製造工程の煩雑化や部品点数の増加を招き、製造コストが高騰してしまうことは否めない。
【０００４】
従って、できる限り単純な形状の少数の部材を用いて操作機構を構成したい。しかしながら、操作機構の要素となる部材の数を減らそうとすると、椅子本体を構成する他の部材との干渉を避けることが難しくなる。操作機構の要素となる部材と他の部材とが干渉してしまうことを防止する方法として、操作機構の要素となる部材を椅子本体の外方に配設することがしばしば行われる。図１０に示すものは、椅子の背座の高さ調節を行う際に操作するレバーＬＶを、脚の支柱より外方に突出させて設けたものである。図示例のようなものであれば、椅子本体を構成する部材と干渉してしまうことを回避できるが、見栄えが悪く、椅子としての格調を損ないかねない。また、レバーＬＶの配置位置や寸法、さらにはレバーＬＶの操作量等を種々に設定することが難しく、デザイン設計の自由度は低減せざるを得ない。とりわけ、近時の多機能化された椅子は、支持体や座受の中間部位ないし後方部位周辺に各種機構を備え、これら各機構を構成する様々な部材、部品が配設されており、部材同士の干渉が生じないようにすること自体が設計上の重要な問題点であると言える。
【０００５】
以上の問題に鑑みて、本発明は、製造コストの高騰を惹起することなく、部材同士の干渉を好適に回避しながら操作機構の設計の自由度をより向上させることを目的とし、そのために効果的なレバーの取付構造を提供するものである。
【０００６】
【課題を解決するための手段】
上述した課題を解決すべく、本発明では、椅子の諸機能を具現する機能手段を操作するためのレバーを椅子に取り付ける構造として、回動の中心軸となる回動軸部と、前記回動軸部と非平行な方向に延伸し外力を受ける受力部と、前記回動軸部と非平行な方向に延伸し椅子の機能手段と係わり合う作用部とを具備して一体をなすレバー体を、その回動軸部を回動可能に支持させて椅子本体に取り付けることとした。
【０００７】
即ち、受力部に直接にまたは間接に外力を加えることにより、レバー体が回動しながら作用部を介して機能手段に外力を伝達し、該機能手段を作動させてその機能を発揮させるようにしたのである。このようなものとすれば、回動軸部、受力部、作用部の寸法、形状等を適宜に調整し、椅子本体を構成する他の部材との干渉を回避しつつ簡便にレバーを取り付けることが可能となる。つまり、操作機構を簡単に構成でき、しかも椅子本体への組み込みが容易となる。従って、製造コストを徒に上昇させることなく操作機構の設計の自由度を高めることができる。
【０００８】
レバー体の構造をシンプルにし、その製造を容易とするためには、前記受力部、前記回動軸部並びに前記作用部により略クランク状のレバー体を形成することが望ましい。
【０００９】
パドルを突設した操作軸を前記回動軸部と略平行となるように椅子本体に回動可能に支持させてなり、該操作軸を回転操作することで前記パドルが前記受力部に当接してレバー体を回動させるものとすれば、着座者の手指により操作される操作部を操作軸の所要部位に設けたとしても、該操作部からレバー体の作用部までの連係を無理なく実現できる。よって、操作部を、着座者にとって最も操作し易い位置に配置することが可能となる。
【００１０】
椅子本体を構成する要素である所定の部材上にレバー体の回転軸部を載置し、その上から下方に開口する凹部を形成した軸受部材を重ねてこれを前記所定の部材に固定するようにすることで、レバー体の取付を簡易に行うことができ、製造コストの低減を図ることが可能である。
【００１１】
前記受力部を前後方向に延伸させながらレバー体を椅子の座の下方に配置すれば、着座者が手元でレバー体を操作し得る。
【００１２】
直立壁を具備するカバー部材によりレバー体を側方より遮蔽すれば、椅子の外観を良好なものとしその格調を高めることができる。
【００１３】
そして、本発明は、ガススプリングを用いたガススプリング機構を内包する機能手段を操作するものとして用いられることが好ましい。このとき、レバー体の回動に伴いその作用部がガススプリングのボタンに作用してガススプリングのピストンのスライド移動を解禁するように構成する。特に、上記の機能手段が椅子の背座の高さを調整するためのものであるような場合に、本発明は効力を発揮する。
【００１４】
【発明の実施の形態】
以下、本発明の一実施形態を、図面を参照して説明する。本実施形態に係る椅子は、図１ないし図３に示すように、構造体としての基盤をなすその椅子本体１を、脚２と、脚２の上端側に取り付けた支持体３と、基端を前記支持体３に取り付けた背フレーム５と、前部を前記支持体３に支持させ後部を背フレーム５の中間部位に支持させた座受４とより構成しているものである。また、椅子本体１の座受４にシェル及びクッション等を取り付けて座６を構成するとともに、背フレーム５に張り地や芯材等よりなる背凭れ本体を取り付けて背凭れ７を構成している。
【００１５】
脚２は、５本の脚羽根２１の中央から支柱２２を立ち上げた構造をなす。支柱２２は、ガススプリングを用いたガススプリング機構Ｍを内蔵する。ガススプリング機構Ｍは、椅子の背凭れ７及び座６の高さを可変調整可能とする目的で組み込まれる。即ち、ガススプリングの上端部に設けてあるボタンＭ１を介してシリンダＭ２内に形成された図示しないバルブを開閉することによりピストンＭ３のシリンダＭ２に対する相対的なスライド移動を禁止あるいは許容できることを利用して、支柱２２の脚羽根２１に対する相対的な昇降移動の禁止／許容を切換し得るように構成したものである。このことにより、支柱２２の高さ位置を調整することが可能となる。なお、ガススプリング機構Ｍには、既知の機構を採用することができる。
【００１６】
支持体３は、前記支柱２２の上端部に水平回転可能に取り付けてあり、図４、図５等に示すように、前方に水平に延びその一部に支柱２２を上下方向に貫通させてなる底壁３１と、この底壁３１の前端から斜め前方に傾斜して立ち上がる前壁３２と、これら底壁３１及び前壁３２の周囲より起立して前記底壁３１及び前壁３２とともに内側に上方に開口する機構収容空間を形成する左右の側壁３３、３４とよりなる概略舟形をなす。図示例では、支持体３の後方部位、底壁３１の中央部後ろ寄りの位置で、支柱２２と結合している。そして、上記のガススプリング機構Ｍの構成要素であるガススプリングのピストンＭ３の進退動作を解禁するためのボタンＭ１を、底壁３１を貫通させて機構収容空間内に露出させている。支持体３は、内部構造や素材の金属表面を隠蔽するために、例えば樹脂製のカバー部材３５で被覆する。カバー部材３５は、支持体３を椅子の側方より遮蔽するための直立壁３５ａを少なくとも有する。但し、図４では、カバー部材３５を省いている。また、該支持体３は、その側壁３３、３４の前端部に、下述する軸Ｘ１を前後方向に沿ってスライド可能に支持するスライド案内部たる長孔Ｎを形成している。加えて、支持体３には、その底壁３１の上方を横断するように左右の側壁３３、３４間を渡り背フレーム５に取り付けられる軸Ｘ３を貫通させている。軸Ｘ３は、支持体３と背フレーム５を内包してなる背凭れ７とを回転可能に連結するものである。
【００１７】
座受４は、前記支持体３上に位置し、その上面図を図５中の想像線で示しているように、前後に延びる縦フレーム４１と、これら縦フレーム４１の中間部位間を連結する位置に横架した横フレーム４２とを具備してなる。図示例の縦フレーム４１は、前記横フレーム４２を架設した位置を挟んでその前方側より後方側の方がその相互間隔が狭くなるように成形されている。縦フレーム４１の前端部には、該縦フレーム４１間を横断するように左右方向に延びる軸Ｘ１を取り付けてある。軸Ｘ１は、座６と前記支持体３とを回転可能に連結するものである。
【００１８】
背フレーム５は、図２等に示すように、側面視略Ｌ字形に屈曲する左右一対の背フレーム要素５１と、これら背フレーム要素５１の上端部間を一定の間隙を保って連結する図示しない連結部材とを具備してなる。一対の背フレーム要素５１間には、該背フレーム５１の基端５１ａと屈曲部位５１ｂとの間の所要部位にて図示しない軸を架設する。そして、背フレーム要素５１間に架設した軸に座受４の縦フレーム４１の後部を取り付ける（但し、図示しない）。この軸は、上記の軸Ｘ１よりも後方に位置し、背フレーム５を内包してなる背凭れ７と座６とを回転可能に連結するものである。かつ、各々の背フレーム要素５１の基端５１ａを前記支持体３の左右の側壁３３、３４を貫通する軸Ｘ３に回転可能に連結する。
【００１９】
上述の構成により、椅子本体１は、座受４に取り付けた軸Ｘ１を支持体３に形成した長孔Ｎ内でスライドさせることで、軸Ｘ１を長孔Ｎの後端側に位置付けたとき、背フレーム５が起き上がった起立姿勢を椅子に与え、軸Ｘ１を長孔Ｎの前端側に位置付けたとき、背フレーム５を後傾させるとともに座受４の後端を沈み込ませて椅子に後傾姿勢を与える、いわゆるシンクロチルト機構を実現するものである。
【００２０】
さらに、該椅子本体１は、図４及び図５に示すように、上記のシンクロチルト機構の一部に反力機構Ｈを組み込むとともに、ロッキング硬さを調整する反力調整機構Ａを設けてある。反力機構Ｈは、前記支持体３の機構収容空間に後傾姿勢で配設され後下端を固定リテーナＨ１に支持させた一対のコイルスプリングＳと、軸Ｘ１の軸回りに取り付けた可動リテーナＨ２とを具備し、該可動リテーナＨ２に前記コイルスプリングＳの前上方端を支持させて、背フレーム５の後傾動作に伴い座受４に取り付けられた軸Ｘ１が長孔Ｎ内において後方へスライドすることにより、可動リテーナＨ２がコイルスプリングＳを圧縮する構造となっている。反力調整機構Ａは、前記コイルスプリングＳの固定リテーナＨ１を、軸状のバックアップ部材Ａ１０により所要の固定位置に保持し得るように構成したものであり、該バックアップ部材Ａ１０の固定位置を、図示しない所定の水平軸回りに回転可能な回転アームＡ１と、前記回転アームＡ１の押さえ板Ａ１２上に配置したナット要素Ａ２と、前記回転アームＡ１の下方から前記ナット要素Ａ２にねじ込まれるねじ要素Ａ３とにより構成したものである。ねじ要素Ａ３は支持体３の前壁３２を貫通して外部に突出している。この突出部分を操作してねじ要素Ａ３にねじ送り動作を与えると、回転アームＡ１が回りに回転し、バックアップ部材Ａ１０を介して固定リテーナＨ１のバックアップ位置を移動させてコイルスプリングＳの圧縮力を増減させることができる。このような反力調整機構Ａの利点としては、コイルスプリングＳの長手寸法内に組み込むことができるため、コイルスプリングＳの一端側に反力調整機構を導入する場合に比べ反力機構Ｈを含め軸方向のコンパクト化を図ることができる点、コイルスプリングＳを後傾姿勢で配置しているため、該コイルスプリングＳを収容している支持体３の前後寸法の短寸化、ひいては座６を前後スライドさせるときの座６と支持体３との干渉を有効に回避して動作代を十分に確保することができる点、ねじ要素Ａ３を操作するためのグリップを操作し易い支持体３の前壁３２に配置できる点、回転アームＡ１の腕の長さに基づくてこの作用で軽い力で操作できる点、等を挙げることができる。
【００２１】
しかして、回動の中心軸となる回動軸部８１と、前記回動軸部８１と非平行な方向に延伸し外力を受ける受力部８２と、前記回動軸部８１と非平行な方向に延伸し椅子の機能手段と係わり合う作用部８３とを具備して一体をなすレバー体８を、その回動軸部８１を回動可能に支持させて椅子本体１に取り付け、椅子の所定の機能手段を該レバー体８を介して操作し得るように構成している。本実施形態においては、回動操作可能なレバー体８により、椅子の背凭れ７及び座６の高さを調節する機能を具現する機能手段たるガススプリング機構Ｍを操作することを可能としている。
【００２２】
図４及び図５に示すように、レバー体８は、略丸棒状をなす回動軸部８１と、回動軸部８１より突出し該回動軸部８１に対して略垂直方向に延伸する受力部８２と、同じく回動軸部８１より突出し該回動軸部８１に対して略垂直方向に延伸する作用部８３とを具備する。図示例では、一体の棒状体を屈曲成形したような略クランク状をなす。そして、回動軸部８１の延伸方向を椅子の（着座者から見て）左右方向に、受力部８２及び作用部８３の延伸方向を椅子の前後方向に設定し、レバー体８を椅子本体１の構成要素である支持体３に回動可能に支持させている。
【００２３】
詳述すると、作用部８３を支持体３の中央部に配置して、その先端がガススプリングのボタンＭ１と当接し得るようにする。因みに、底壁３１より突設した左右一対のガイド３１ａ間に作用部８３の所定部位が収まる。回動軸部８１は、上記の反力機構Ｈ、反力調整機構Ａ等を構成する部材と干渉しない位置、即ち、コイルスプリングＳ、固定リテーナＨ１、バックアップ部材Ａ１０、回転アームＡ１等より後方の非干渉領域内に配置する。回動軸部８１は、その下面を支持体３の側壁３４、並びに底壁３１より上向きに延出しているリブ３１ｂに支持させてある。リブ３１ｂには、上方に開口する側面視半円状をなす凹部を切り欠いて設けてあり、該凹部が回動軸部８１が回転する際に軸受けとしての役割を果たす。つまり、支持体３にレバー体８の回動軸部８１を載置している。その上で、図６等に示すように、下方に開口する凹部を形成した軸受部材３１ｃを、その凹部内に回動軸部８１を収容するように重ね、これを支持体３に固定している。軸受部材３１ｃに形成した凹部は側面視半円状をなし、前記リブ３１ｂに形成した凹部とともに軸受けとして機能する。そして、回動軸部８１より前方に延伸する受力部８２は、反力機構Ｈ、反力調整機構Ａ等との干渉を回避すべく、機構収容空間外に、言い換えるならば支持体３の側壁３４の外に配置する。
【００２４】
図７に示す未操作状態にあって、受力部８２に上向きの外力を加えると、レバー体８が回動軸部８１を中心に回動して、作用部８３がガススプリングのボタンＭ１に作用する操作状態となる。この操作状態を図８に示す。即ち、受力部８２が受け、作用部８３に伝達される外力を利用してガススプリングのボタンＭ１を押圧し、ピストンＭ３の上下スライド移動を解禁する。この結果、支柱２２の脚羽根２１に対する上下移動が可能となり、座６、背凭れ７の高さを調節することができるようになる。座６、背凭れ７を所望の高さ位置に調整した後、受力部８２に加えている外力を無くせば、レバー体８が逆方向に回動して図７に示す未操作状態に戻り、作用部８３によるガススプリングのボタンＭ１への作用が消失して再びピストンＭ３の上下スライド移動が禁止される。即ち、支柱２２の脚羽根２１に対する上下移動が不可能となり、座６、背凭れ７の高さが固定される。
【００２５】
さらに、本実施形態では、レバー体８とは別体をなしパドル９１を突設した操作軸９を、前記回動軸部８１と略平行となるように椅子本体１に支持させて、該操作軸９を回転操作することで前記パドル９１が前記受力部８２に当接してレバー体８を回動させ得るようにしている。
【００２６】
操作軸９は、レバー体８の回動軸部８１と略平行に、即ち、椅子の左右方向に沿って延伸するように設定し、上記の反力機構Ｈ、反力調整機構Ａ等を構成する部材と干渉しない位置、即ち、コイルスプリングＳ、可動リテーナＨ２、軸Ｘ１等より前方に配置する。図示例では、支持体３の側壁３４を貫通させ回動可能にこれらに支持させてある。椅子の前方部右側に操作軸９を取り付けている。操作軸９には、該操作軸９に対して略垂直方向に、即ち椅子の前後方向に沿って延伸するパドル９１を突設してある。該パドル９１は、略平板状をなし、レバーの受力部８２と当接してこれを下方より持ち上げることができる寸法を有する。加えて、操作軸９の外方端には、着座者の手指によって操作されるための操作部９２を固設してある。
【００２７】
操作部９２を把持して操作することにより、操作軸９を回動させることができる。このとき、パドル９１が操作軸９を中心に回転移動してレバー体８の受力部８２と当接し、操作部９２に加えられた外力を伝達する。即ち、操作部９２を把持して操作することでレバー体８を回動させ機能手段を操作することが可能である。図示例では、図７に示す未操作状態より操作部９２を上方に（図７上における時計回りに）持ち上げることで、操作軸９に設けたパドル９１が受力部８２を持ち上げ、作用部８３が押し下げられてガススプリングのボタンＭ１と作用する。この結果、座６、背凭れ７の高さ調節が可能となる。
【００２８】
ところで、レバー体８の回動軸部８１の外方部位並びに受力部８２は、ちょうど支持体３の側壁３４とカバー部材３５の直立壁３５ａとの間に位置する。そして、カバー部材の直立壁３５ａは、支持体３を隠蔽するのみならず該レバー体８をも側方より概ね隠蔽する。同時に、レバー体８は座６の下面近傍に配置してあり、座６、さらには支持体３の前壁３２により遮蔽され周囲の目に触れにくい。よって、レバー体８を用いてなる、背座の高さ調整機能を操作する操作機構が、椅子本体１の外観を損なうようなことがない。
【００２９】
レバー体８の受力部８２は、着座者の手指が届く位置に近づけるべく、回動軸部８１より前方に延伸させてある。このことは、レバー体８を用いてなる操作機構の操作性の向上に寄与する。しかも、操作軸９を介して間接的にレバー体８を操作する構成としているため、着座者に採って最も操作し易い位置に操作部９２を設定することが可能となっている。即ち、レバー体８の受力部８２より前方に操作軸９を設けることで、操作部９２を着座者の手元付近に配置することができるようになっている。加えて、操作部９２を操作軸９の外方端部に固設することにより、該操作部９２を座６の下方、側縁近傍に設定してあることから、着座者が無理に手を伸ばすことなく操作部９２を操作して椅子の高さ調節を行うことが可能である。
【００３０】
本実施形態によれば、椅子の諸機能を具現する機能手段を操作するためのレバーを椅子に取り付けるものとして、回動の中心軸となる回動軸部８１と、前記回動軸部８１と非平行な方向に延伸し外力を受ける受力部８２と、前記回動軸部８１と非平行な方向に延伸し椅子の機能手段と係わり合う作用部８３とを具備して一体をなすレバー体８を、その回動軸部８１を回動可能に支持させて椅子本体に取り付ける構造を採用しているため、簡単な構成にて機能手段を操作する操作機構を実現可能となっている。そして、回動軸部８１、受力部８２、作用部８３の寸法、形状等を適宜に設定することにより、椅子本体１を構成する他の部材との干渉を避け無理なくレバーを取り付けることができる。さらに、受力部８２の寸法と作用部８３の寸法との比、言い換えるならば受力部８２の寸法と作用部８３の寸法とに応じて定められるてこ比を調整すれば、レバー体８の操作量、即ち回動軸部８１を中心にレバー体８を回動させる量や、レバー体８の操作に要する操作力の大きさを調整することができるという効果をも奏する。これらの効用により、椅子の機能あるいはデザインの設計の自由度を大いに向上させることができる。しかも、当該レバー取付構造は、低コストで製造可能である。
【００３１】
前記受力部８２、前記回動軸部８１並びに前記作用部８３により略クランク状のレバー体８を形成していることにより、レバー体８の構造がシンプルなものとなり、その製造や取付工程を簡略化できる。
【００３２】
パドル９１を突設した操作軸９を前記回動軸部８１と略平行となるように椅子本体１の支持枠３並びに座受４に回動可能に支持させてなり、該操作軸９を回転操作することで前記パドル９１が前記受力部８２に当接してレバー体８を回動させ得るようにしたため、着座者の手指により直接操作される操作部９２を操作軸９の所要の部位に設けることが可能である。
【００３３】
椅子本体を構成する要素である所定の部材即ち支持体３の上にレバー体８の回転軸部を載置し、その上から下方に開口する凹部を形成した軸受部材３１ｃを重ねてこれを支持体３に固定してなるものであることから、レバー体８の取付を簡易に行うことができ、製造コストの低減を図ることが可能となる。
【００３４】
前記受力部８２を前後方向に延伸させながらレバー体８を椅子の座６の下方に配置したため、着座者が手元でレバー体８を操作し得る操作性に優れたものでありながら、レバー体８の存在が外表しにくく椅子の格調を損なうことがない。
【００３５】
直立壁８５ａを具備するカバー部材８５によりレバー体８を側方より遮蔽しているため、椅子の外観を良好に保ち、格調を高めることができる。
【００３６】
そして、レバー体８の回動に伴いその作用部８３がガススプリングのボタンＭ１に作用してガススプリングのピストンＭ３のスライド移動を解禁するように構成することができることから、当該レバー取付構造はガススプリングを用いたガススプリング機構Ｍを内包する椅子の機能手段を操作するものとして用いるために適していると言える。特に、椅子の背凭れ７、座６の高さを調整するための機能手段を操作するためのものとして採用することで、上述の本発明ならではの効用により、着座者が座６に着座したまま背凭れ７、座６の高さ調整を簡便に行うことが可能な、優れた操作性を有する椅子を実現することができる。
【００３７】
なお、本発明は以上に詳述した実施形態に限られるものではない。特に、レバー体８の形状は、図示例の如き略クランク状をなすとは限られず、種々に変形することが可能であって、例えば、Ｔ字型をなすようなものであってもよい。また、上記実施形態のように、受力部８２と作用部８３とが回動軸部８１より相反する方向に延伸しているものとも限られない。
【００３８】
回動軸部８１の延伸方向を、必ずしも椅子の左右方向に設定する必要はない。同様に、受力部８２または作用部８３の延伸方向を、必ずしも椅子の前後方向に設定する必要はない。加えて、パドル９１並びに操作部９２を設けた操作軸９は、レバー体８より前方に配置されるとは限られない。操作部９２は、操作軸９の所要の部位に設けることが可能であって、操作軸９の端部に設けられるとは限られない。
【００３９】
パドル９１を設けた操作軸９の延伸方向とレバー体８の回動軸部８１の延伸方向とが略平行であるとは限られない。図９に示すものは、回動軸部８１の延伸方向と操作軸９の延伸方向とが非平行（図示例では、略垂直）となる変形例であるが、このようなものであっても操作軸９を回動操作することによりパドル９１が受力部８２と係わり合いレバー体８を回動軸部８１を中心に回動させることができる。
【００４０】
本発明を適用する対象となる椅子の機能手段は、背座の高さ調整機能を具現するものには限られない。さらには、ガススプリング機構Ｍを内包してなるものであるとも限られない。
【００４１】
その他各部の具体的構成は上記実施形態には限られず、本発明の趣旨を逸脱しない範囲で種々変形が可能である。
【００４２】
【発明の効果】
以上に詳述した本発明によれば、製造コストの高騰を惹起することなく、部材同士の干渉を好適に回避しながら椅子の操作機構の設計の自由度をより向上させることが可能となる。
【図面の簡単な説明】
【図１】本発明の一実施形態における椅子を示す正面図。
【図２】同側面図。
【図３】同部分側面図。
【図４】同部分分解斜視図。
【図５】同部分上面図。
【図６】同実施形態におけるレバー体の取り付けを説明する縦断面図。
【図７】同実施形態における操作機構の動作を説明する部分側面図。
【図８】同部分側面図。
【図９】本発明の変形例を示す部分分解斜視図。
【図１０】従来の椅子とそのレバーを示す図。
【符号の説明】
１…椅子本体
８…レバー体
８１…回動軸部
８２…受力部
８３…作用部
３１ｃ…軸受部材
３５…カバー部材
３５ａ…直立壁
９…操作軸
９１…パドル
Ｍ…ガススプリング機構
【図１】
2004033449.tif 000003
【図２】
2004033449.tif 000004
【図３】
2004033449.tif 000005
【図４】
2004033449.tif 000006
【図５】
2004033449.tif 000007
【図６】
2004033449.tif 000008
【図７】
2004033449.tif 000009
【図８】
2004033449.tif 000010
【図９】
2004033449.tif 000011
【図１０】
2004033449.tif 000012